(57)【要約】  【課題】  床部分に、コンクリートを用いることなく、現場搬入が容易であって施工も簡単にすることが可能な床構築用構造体を提案する。【解決手段】  左右対称でかつ下辺の長さが上辺の長さの２倍である台形の４枚の板材を、各斜辺で互いに９０度となる角度で接合して、頂部が切除された四角錐の形状の筒に形成する。または、左右対称でかつ下辺の長さが上辺の長さの２倍である５個の台形をその斜辺部で順に連接させた形状の金属板を、各斜辺でそれぞれ同方向に９０度に折曲して、両外側の台形部を互いに重複させて、頂部が切除された四角錐の形状の筒に形成する。こうして形成された四角錐形状の筒からなる床構築用構造体を上下反転させながら交互に締結させていくことで、平面の広がりを有する床が構築される。【選択図】  図２
2006169856.tif 000002
【特許請求の範囲】
【請求項１】
左右対称でかつ下辺の長さが上辺の長さの２倍である台形の４枚の板材を、各斜辺で互いに９０度となる角度で接合して、頂部が切除された四角錐の形状の筒に形成したことを特徴とする床構築用構造体。
【請求項２】
左右対称でかつ下辺の長さが上辺の長さの２倍である５個の台形をその斜辺部で順に連接させた形状の金属板を、各斜辺でそれぞれ同方向に９０度に折曲して、両外側の台形部を互いに重複させて、頂部が切除された四角錐の形状の筒に形成したことを特徴とする床構築用構造体。
【請求項３】
左右対称でかつ下辺の長さが上辺の長さの２倍である４個の台形をその斜辺部で順に連接させた形状の金属板を、各斜辺でそれぞれ同方向に９０度に折曲して、両外側の斜辺を溶接して、頂部が切除された四角錐の形状の筒に形成したことを特徴とする床構築用構造体。
【請求項４】
請求項１乃至３のいずれかに記載の床構築用構造体において、
台形をした面の適箇所に連結用の締結部材を挿通する孔を形成したことを特徴とする床構築用構造体。
【請求項５】
請求項１乃至４のいずれかに記載の床構築用構造体において、
台形をした面の適箇所に配管を挿通する孔を形成したことを特徴とする床構築用構造体。
【請求項６】
請求項１乃至５のいずれかに記載の床構築用構造体を互いに上下反転させながら台形面を当接して締結部材を用いて締結することにより縦横方向に連結して構築されたことを特徴とする床。
【請求項７】
請求項６に記載の床において、
締結部材として、ボルトとナットまたはリベットを用いたことを特徴とする床。
【発明の詳細な説明】
【技術分野】
【０００１】
本発明は、床構築用構造体およびそれを用いた床に関し、詳しくは多層階の建築物における床部分の構築の工期短縮化と軽量化を実現する床構築用構造体およびそれを用いた床に関する。
【背景技術】
【０００２】
従来、多層建築物では、床部分を構築するには、先ず柱組をし、その後に梁組をし、さらにその上にコンクリートを打つ床組をすることが一般的な工法であった。例えば、図７および図８に示されるように、２階建ての建物を建築する場合は、Ｈ形鋼、角形鋼管からなる４本の柱３１〜３４を立て、その間に梁３５〜３９を架け渡し、それらの間に、デッキプレート４０を乗せてから、その上にコンクリート４１を流し込んでいた。
【０００３】
このようにコンクリートを使用すると、養生期間が必要であり、それが工期の短縮化の限界となっていた。また、コンクリートを使用するとその重量に耐えられるように、建築物全体を堅牢な構造にするため、その分、材料費が嵩むという問題があった。そこで、現場での施工期間を短縮するため、特許文献１の記載の工法のように、予めコンクリートブロックにより、床スラブパネルを作成しておき、それを現場に搬入して、組み立てることが提案されている。
【特許文献１】特開平０６−１２９０３０号公報
【発明の開示】
【発明が解決しようとする課題】
【０００４】
上述したように、床スラブパネルを用いた工法では、現場での養生期間が不要となった分、工期の短縮が可能となるものの、コンクリートを用いているため床自体の重量を軽減することは出来ず、また、重量のある床スラブパネルを現場に搬入する作業が大がかりになるという問題があった。そこで、本発明は、床部分に、コンクリートを用いることなく、現場搬入が容易であって施工も簡単にすることが可能な床構築用構造体およびそれを用いた床を提案することを目的とした。
【課題を解決するための手段】
【０００５】
上記課題を解決するために、本発明の床構築用構造体は、左右対称でかつ下辺の長さが上辺の長さの２倍である台形の４枚の板材を、各斜辺で互いに９０度となる角度で接合して、頂部が切除された四角錐の形状の筒に形成したことを特徴とする。
【０００６】
また、本発明の床構築用構造体は、左右対称でかつ下辺の長さが上辺の長さの２倍である５個の台形をその斜辺部で順に連接させた形状の金属板を、各斜辺でそれぞれ同方向に９０度に折曲して、両外側の台形部を互いに重複させて、頂部が切除された四角錐の形状の筒に形成したことを特徴とする。
【０００７】
また、本発明の床構築用構造体は、左右対称でかつ下辺の長さが上辺の長さの２倍である４個の台形をその斜辺部で順に連接させた形状の金属板を、各斜辺でそれぞれ同方向に９０度に折曲して、両外側の斜辺を溶接して、頂部が切除された四角錐の形状の筒に形成したことを特徴とする。
【０００８】
なお、前記床構築用構造体において、台形をした面の適箇所に連結用の締結部材を挿通する孔を形成することが好ましい。同じく、前記床構築用構造体において、台形をした面の適箇所に配管を挿通する孔を形成することが好ましい。
【０００９】
また、本発明の床は、前記床構築用構造体を互いに上下反転させながら台形面を当接して締結部材を用いて締結することにより縦横方向に連結して構築されたことを特徴とする。なお、ここで、締結部材として、ボルトとナットまたはリベットを用いることが可能である。
【発明の効果】
【００１０】
以上述べたように本発明によれば、頂部が切除された四角錐の形状の筒に形成された床構築用構造体を上下反転しながら連結していくことで、構造的に強固な床が構築される。その結果、コンクリートからなる床に比べて工期の短縮化と軽量化が可能となる。また、建築物が、耐用年数が経過して解体される場合は、床部分を構成する床構築用構造体のリサイクルが容易となる。
【発明を実施するための最良の形態】
【００１１】
以下、図に基づいて本発明の実施形態を説明する。
図１は本発明に係る床構築用構造体の１面を示す平面図であり、図２は図１の面を４面組み立てて構成された床構築用構造体の斜視図である。これらの図に示されるように、床構築用構造体１は、左右対称であって下辺の長さ２ａが上辺の長さａの２倍の長さをした台形に形成された鉄板等の金属板２を４枚用い、その斜辺部分を溶接により接合して、頂部が切除された４角錐の形状をした筒型に形成される。
【００１２】
また、台形をした金属板２の中心部分には、配管を挿通するためと床構築用構造体１を軽量化するための孔３が穿設され、さらに、上部の左右方向中心には、ボルトを挿通するための孔４が穿設され、同様に、下部には、左右方向に二分したそれぞれの中心部分には、ボルトを挿通するための孔５，６が穿設されている。なお、これらの孔のうち、床部分に配管が不要な現場に用いられる床構築用構造体１については、孔３は省略することも可能である。また、金属板２の代わりに木板を用いることも可能であるが、その場合は、接合部分を臍継手として、さらに接着剤により結合する。また、図示しないが、床構築用構造体１の内側に、台形状のリブを内接して、補強することも可能である。
【００１３】
図３は、他の方法により構成される床構築用構造体の展開図を示す。図１および図２に示された床構築用構造体１は、比較的厚い金属板を用いた場合であるが、比較的薄い金属板を用いた場合は、折曲により構成することも可能である。図３は、比較的薄い金属板上に、左右対称であって下辺の長さが上辺の長さの２倍の長さをした４個の台形７〜１０をその斜辺部分を連接させて罫書き、切断したものである。図中の破線部分を９０度折曲して、両端の台形７，１０の外側の斜辺部分を互いに突き合わせて溶接することで、図２と同形の床構築用構造体が構成される。各台形７〜１０には、図１と同様に、配管を挿通するための孔と、ボルトを挿通するための孔が穿設されている。
【００１４】
図４は、さらに他の方法により構成される床構築用構造体の展開図を示す。これは、図３の場合と同様に、比較的薄い金属板を用いものであり、左右対称であって下辺の長さが上辺の長さの２倍の長さをした５個の台形１１〜１５をその斜辺部分を連接させて罫書き、切断したものである。図中の破線部分を９０度折曲して、両端の台形１１，１５を互いに重合することで、図２と同形の床構築用構造体が構成される。各台形１１〜１５には、図１と同様に、配管を挿通するための孔と、ボルトを挿通するための孔が穿設されている。この床構築用構造体は、前述の床構築用構造体の場合と異なって、溶接工程が不要となり、その分、コストダウンが可能である。
【００１５】
また、図示しないが、上述した３種類の床構築用構造体の、上端と下端の正方形をした開口部に、開口部と平行に縁を突出させて、その突出部に、床板または天井板を取り付けるためのねじ孔を形成しておくことが好ましい。なお、これら上述した３種類の床構築用構造体は、いずれも積み重ねることが可能であるため、保管、輸送の際に、嵩張らず取り扱いが容易である。
【００１６】
次に、前述した床構築用構造体を用いて、多層建築物における床部分を構築する場合について説明する。図５は上述した床構築用構造体１を用いて構築された床部分の平面図であり、図６は図５の縦断面図である。上述したように、床構築用構造体１の側面を構成する台形部は、上辺の長さと下辺の長さが１対２の関係にあるため、上端に形成される正方形の開口部に対して、下端に形成される正方形の開口部は、辺の長さで２倍、面積で４倍となる。
【００１７】
その結果、床構築用構造体１を互いに上下反転しながら押し当てて、ボルト挿通孔４〜６にボルトを挿通してナットを締結していくと、平面上では、それら開口部が、幾何学的に大小の正方形を組み合わせた連続パターンとなり、縦横方向に広がりを有する床が形成され、しかも構造的にも、各床構築用構造体１が互いに密接して連結されるため充分な強度を有する床となる。なお、図５では、説明の都合上、上端の開口部のみを図示して、大きい開口部の内側下部に見える小さい開口部を省略している。
【００１８】
また、構築された床の外周部は、断面が三角形で高さが床構築用構造体１と同じに形成された連結部材１７〜２０により、柱２１〜２４に接続される。こうして床が構築されると、その上にゴム板２５を介して、鉄板２６を敷設して床面が完成する。このとき、前述したように床構築用構造体１の開口部に、突出部が設けられてそこにねじ孔が形成されていれば、そのねじ孔を利用して床板を固着することが可能である。また、床構築用構造体１に形成されている孔３を利用して、床下の配管が可能となる。また、構築された床が最上段の場合は、その上に屋根となる部材を葺設して屋根が完成される。なお、図５および図６では、締結部材として、ボルトとナットを用いたがリベットを用いることも可能である。
【産業上の利用可能性】
【００１９】
本発明は、多層建築物における床以外に、軽荷重の橋、跨線橋、歩道橋等にも利用可能である。
【図面の簡単な説明】
【００２０】
【図１】本発明に係る床構築用構造体の１面を示す平面図である。
【図２】図１の面を４面組み立てて構成された床構築用構造体の斜視図である。
【図３】他の方法により構成される床構築用構造体の展開図を示す。
【図４】さらに他の方法により構成される床構築用構造体の展開図を示す。
【図５】床構築用構造体を用いて構築された床部分の平面図である。
【図６】図６は図５の縦断面図である。
【図７】従来例を示す側面図である。
【図８】従来例を示す平面図である。
【符号の説明】
【００２１】
１  床構築用構造体
２  金属板
３〜６  孔  
７〜１５  台形
１７〜２０  連結部材
２１〜２４  柱
２５  ゴム板
２６  鉄板
【図１】
2006169856.tif 000003
【図２】
2006169856.tif 000004
【図３】
2006169856.tif 000005
【図４】
2006169856.tif 000006
【図５】
2006169856.tif 000007
【図６】
2006169856.tif 000008
【図７】
2006169856.tif 000009
【図８】
2006169856.tif 000010